(57)【要約】【課題】載置した音響機器から出力される出力音の音質を向上し、必要に応じて音色を調整できるようにする。【解決手段】インシュレータ１は、アクリルアッパ２の上面２５に音響機器の支持対象面を載置して音響機器を支持することで、音響機器からの振動がアクリルアッパ２及び上部プレート３を介して音響ボール４に伝達し、音響ボール４に伝達した振動が、音響ボール４の材質に応じて吸収されたり、音響ボール４に振動が伝達したことで音響ボール４が固有振動数で振動し、この固有振動数の振動が上部プレート３及びアクリルアッパ２を介して音響機器に伝達し音響機器の音声出力に付加したりするので、音響ボール４を材質の異なるものに適宜交換することで、載置した音響機器から出力される出力音の音質を向上し、必要に応じて音色を調整することができる。【選択図】図５
2009124336.tif 000002
【特許請求の範囲】
【請求項１】
音響機器と設置面の間に介挿され、当該音響機器を支持するインシュレータであって、
合成樹脂を素材とし、下面に凹部が形成され、上面が前記音響機器の支持対象面に接して支持する対象面支持体と、
金属を素材として板状に形成され、前記対象面支持体の前記凹部の奥面に取り付けられる上部プレートと、
合成樹脂を素材とし、上面に凹部が形成され、下面が設置面に接した状態で置かれる脚体と、
金属を素材として板状に形成され、前記脚体の前記凹部の奥面に取り付けられる下部プレートと、
球形に形成され、下側の少なくとも一部が前記脚体の前記凹部に挿入されて前記下部プレートの上面と点接触し、上側の少なくとも一部が前記対象面支持体の前記凹部に挿入され前記上部プレートの上面と点接触する音響ボールと、
を備えることを特徴とするインシュレータ。
【請求項２】
前記下部プレートと前記脚体の間には、板状に形成され振動抑制する制振プレートが介挿されていることを特徴とする請求項１に記載のインシュレータ。
【請求項３】
前記音響ボールとして互いに材質の異なるものを複数用意し、前記インシュレータの音響ボールを材質の異なるものに交換することで前記音響機器から出力される出力音の音色を調整することを特徴とする請求項１または２に記載のインシュレータの使用方法。
【発明の詳細な説明】
【技術分野】
【０００１】
本発明は、スピーカーシステムやオーディオ装置等の音響機器から発生する振動を制御するために音響機器と設置面との間に設けられるインシュレータ及びその使用方法に関する。
【背景技術】
【０００２】
従来、スピーカーシステムやオーディオ装置等の音響機器は、自ら振動を発生するが、この振動を抑えることで音質を向上させることができる。このために、音響機器と設置面との間にインシュレータ（インシュレーター）を配置することが一般的に行われている（例えば、特許文献１参照）。インシュレータは、振動の吸収を目的としたもの、振動を速やかに逃すのを目的としたものがあり、ゴム、木、金属、ガラス、合成樹脂などで作られた直方体や円柱等の形状をしている。
【０００３】
【特許文献１】特開２００５−２３８６７号公報
【発明の開示】
【発明が解決しようとする課題】
【０００４】
しかしながら従来のインシュレータは、音響機器の振動を抑えての音質を向上するだけで、必要に応じて音色を調整する機能は有していなかった。
【０００５】
本発明は、こうした従来の問題に鑑みてなされたものであり、載置した音響機器から出力される出力音の音質を向上し、必要に応じて音色を調整する機能を有するインシュレータ及びその使用方法を提供することを目的とする。
【課題を解決するための手段】
【０００６】
上述した課題を解決するため、請求項１に記載の発明のインシュレータは、音響機器と設置面の間に介挿され、当該音響機器を支持するインシュレータであって、合成樹脂を素材とし、下面に凹部が形成され、上面が前記音響機器の支持対象面に接して支持する対象面支持体と、金属を素材として板状に形成され、前記対象面支持体の前記凹部の奥面に取り付けられる上部プレートと、合成樹脂を素材とし、上面に凹部が形成され、下面が設置面に接した状態で置かれる脚体と、金属を素材として板状に形成され、前記脚体の前記凹部の奥面に取り付けられる下部プレートと、球形に形成され、下側の少なくとも一部が前記脚体の前記凹部に挿入されて前記下部プレートの上面と点接触し、上側の少なくとも一部が前記対象面支持体の前記凹部に挿入され前記上部プレートの上面と点接触する音響ボールと、を備えることを特徴とする。
【０００７】
請求項２に記載の発明は、請求項１に記載のインシュレータであって、前記下部プレートと前記脚体の間に板状に形成され振動抑制する制振プレートが介挿されていることを特徴とする。
【０００８】
請求項３に記載の発明は、請求項１または２に記載のインシュレータの使用方法であって、前記音響ボールとして互いに材質の異なるものを複数用意し、前記インシュレータの音響ボールを材質の異なるものに交換することで前記音響機器から出力される出力音の音色を調整することを特徴とする。
【０００９】
請求項１及び２に記載のインシュレータによれば、対象面支持体の上面に音響機器の支持対象面を載置して当該インシュレータが音響機器を支持することで、音響機器からの振動が対象面支持体及び上部プレートを介して当該上部プレートと点接触した音響ボールに伝達し、当該音響ボールに伝達した振動が、当該音響ボールの材質に応じて吸収されたり、当該音響ボールを介して当該音響ボールと点接触した下部プレートから反射され上部プレート及び対象面支持体を介して音響機器に伝達し共鳴や唸りを発生したり、当該音響ボールに振動が伝達したことで当該音響ボールが固有振動数で振動し、この固有振動数の振動が前記上部プレート及び前記対象面支持体を介して音響機器に伝達し当該音響機器の音声出力に付加したりするので、音響ボールを材質の異なるものに適宜交換することで、載置した音響機器から出力される出力音の音質を向上し、必要に応じて音色を調整することができる。この場合、音響ボールは、上部プレート及び下部プレートに点で接触しているため、上部プレート及び下部プレートに対して振動が伝達や反射する際に音声歪やノイズが発生しにくい。
【００１０】
請求項２に記載のインシュレータによれば、制振プレートによって下部プレートから前記脚体に伝わる振動を抑制できるので、不要な振動が設置面に伝わるのを防止できる。
【００１１】
請求項３に記載のインシュレータの使用方法によれば、前記インシュレータの音響ボールを材質の異なるものに交換することで前記音響機器から出力される出力音の音色を容易に調整することができる。
【発明の効果】
【００１２】
本発明のインシュレータ及びその使用方法によれば、載置した音響機器から出力される出力音の音質を向上し、必要に応じて音色を調整することができるので、音響機器のユーザーに好印象を与えることができる。
【発明を実施するための最良の形態】
【００１３】
以下、本発明に係るインシュレータ及びその使用方法の好適な一実施形態を図面を参照して説明する。なお、図１はインシュレータ１の斜め上側から見た分解斜視図である。図２はインシュレータ１の斜め下側から見た分解斜視図である。図３はインシュレータ１の斜め上側から見た斜視図である。図４はインシュレータ１の平面図である。図５は図４のＡ−Ａ線断面図である。図６は３個のインシュレータ１−１、１−２、１−３にスピーカ装置１００を載置した状態を示す斜視図である。図７は３個のインシュレータ１−１、１−２、１−３にスピーカ装置１００を載置した状態を示す底面図である。
【００１４】
図１及び図２において、インシュレータ１は、アクリルアッパ２と、上部プレート３と、音響ボール４と、アクリルベース５と、下部プレート６と、制振プレート７とから構成される。
【００１５】
アクリルアッパ２は、アクリル樹脂を円盤状に形成したものである。
【００１６】
図２及び図５において、アクリルアッパ２の下面２１には、略丸穴形状の凹部２２が形成されている。アクリルアッパ２の凹部２２の奥面には、上部プレート３を収納する凹部２３が形成されている。凹部２３は、下方から見た形状が円形に形成されている。
【００１７】
凹部２３の奥面の中心には、図１、図３乃至図５に示す貫通孔２４がアクリルアッパ２の上面２５まで貫通して形成されている。図５において、貫通孔２４の下側部２６は下方に向けて開く形状に形成されている。また、図２において、凹部２２の内周面には音響ボール４の位置を規制する縦方向のリブ２７が等間隔で３箇所形成されている。
【００１８】
図１及び図２において、上部プレート３は、ステンレス鋼の板を円盤状に形成したものである。
【００１９】
音響ボール４は、アクリル樹脂、真鍮、ステンレス合金等の素材を球形に形成したものである。
【００２０】
アクリルベース５は、リング状の上側部１１と、円盤状の下側部１２と、３本のネジ１３とから構成される。
【００２１】
リング状の上側部１１は、アクリル樹脂をリング状に形成したものであり、上下の中心軸に沿って図１に示す上面３１から図２に示す下面３２を貫通する貫通孔３３が形成されている。
【００２２】
図２において、貫通孔３３は、下部プレート６より若干小径に形成された上側部３４と下部プレート６より若干大径に形成された下側部３５を有している。上側部３４と下側部３５の間の段部３６は、下部プレート６の上面の周辺部を係止する。貫通孔３３の上側部３４の内周面には音響ボール４の位置を規制する縦方向のリブ３７が等間隔で３箇所形成されている。
【００２３】
上側部１１の下面には、三本のネジ１３のネジ部がそれぞれ螺入される三個のネジ孔３８が形成されている。
【００２４】
図１において、下側部１２は、アクリル樹脂を円盤状に形成したものである。下側部１２の外周の下側は大径部４１となり、下側部１２の外周の上側は、上側に向けて先細りとなる傾斜面４２となっている。
【００２５】
下側部１２の上面４３の径は、図４に示すように、上側部１１の外径と同径になっている。
【００２６】
図１において、下側部１２の上面４３には、下部プレート６の下側が挿入される凹部４４が形成されている。凹部４４の奥面には、制振プレート７が挿入される凹部４５が形成されている。下側部１２の凹部４４の回りには、三本のネジ１３のネジ部を挿通される三個のネジ挿通孔４６が上下方向に貫通して形成されている。図２において、下側部１２の下面５０における三個のネジ挿通孔４６の周りには、ネジ１３のネジ頭が挿入される窪み４７が形成されている。
【００２７】
図１及び図２において、下部プレート６は、銅板を円盤状に形成したものである。
【００２８】
制振プレート７は、制振合金Ｍ２０５２を円盤状に形成したものである。
【００２９】
以下、インシュレータ１の組み立て方法について説明する。
【００３０】
インシュレータ１の組み立てる場合、まず、作業者は、図２に示すアクリルアッパ２の凹部２３に上部プレート３を接着固定する。
【００３１】
次に、作業者は、図２に示す下側部１２の凹部４５に制振プレート７を挿入し、凹部４４に下部プレート６の下側を挿入し、下側部１２の上面４３に上側部１１を被せる。この後、作業者は、三本のネジ１３のネジ部を下側部１２の下側から三個のネジ挿通孔４６に挿入し、上側部１１の三個のネジ孔３８に三本のネジ１３のネジ部を螺入して締め付けることで、上側部１１に下側部１２をネジ止め固定する。これにより、アクリルベース５が完成する。この状態では、図２に示す上側部１１の段部３６に下部プレート６が係止するので、アクリルベース５から制振プレート７及び下部プレート６は分離できない。また、アクリルベース５の貫通孔３３と凹部４３、４４は、上面３１に図５に示す凹部６０を形成する。この後、作業者は、凹部６０に音響ボール４を挿入する。次に、作業者は、凹部６０に音響ボール４の上側に、アクリルアッパ２を被せ、アクリルアッパ２の凹部２３に音響ボール４が挿入された状態にする。この状態では、アクリルアッパ２の下面２１と下部プレート６の上面３１の間に図３及び図５に示す隙間６１が形成される。
【００３２】
以下、インシュレータ１の各部材のサイズについて具体的に説明する。
【００３３】
図５において、インシュレータ１の全体の高さＬ１は、２９ｍｍになっている。アクリルアッパ２の高さＬ２は、１０ｍｍになっている。アクリルアッパ２の直径Ｌ１１は、３０ｍｍになっている。アクリルベース５の上側部１１の高さＬ３は、８ｍｍになっている。アクリルベース５の下側部１２の高さＬ４は、１０ｍｍになっている。アクリルベース５の下側部１２の直径Ｌ１２は、４０ｍｍになっている。アクリルアッパ２の下面２１と下部プレート６の上面３１の間の隙間６１の幅Ｌ５は、１ｍｍになっている。
【００３４】
上部プレート３の厚みＬ６は、２ｍｍになっている。上部プレート３の直径Ｌ１３は、１０ｍｍになっている。
【００３５】
音響ボール４の直径Ｌ７は、１２．５ｍｍになっている。下部プレート６の厚みＬ８は、３ｍｍになっている。下部プレート６の直径Ｌ１４は、１８ｍｍになっている。
【００３６】
制振プレート７の厚みＬ９は、１ｍｍになっている。制振プレート７の直径Ｌ１５は、８．４ｍｍになっている。
【００３７】
以下、本実施形態のインシュレータの使用方法を説明する。
【００３８】
図６において、インシュレータ１−１、１−２、１−３は、インシュレータ１と同じ構造を採用している。
【００３９】
スピーカ装置１００は、直方体状の密閉型のエンクロージャー１０１と、ボイスコイル、マグネット等を備えたスピーカ１０２とから構成される。エンクロージャー１０１は、前後左右上下の板状部材（例えば、木材、合成樹脂、金属もしくはそれらを張り合わせた合成材等）１１１、１１２、１１３、１１４、１１５、１１６により形成されている。前側の板状部材１１１には、スピーカ１０２が取り付けられている。
【００４０】
インシュレータ１−１、１−２、１−３は、それぞれのアクリルベース５の下面５０（図７参照）を床２００に接触させた状態で配置され、それぞれのアクリルアッパ２の上面２５にスピーカ装置１００の板状部材１１６が接触してスピーカ装置１００を三点支持する。
【００４１】
ここで、インシュレータ１−１、１−２、１−３の音響ボール４として各種素材の組み合わせを用いた場合のスピーカ装置１００から音声の歪率ＴＨＤについて、表１を参照して説明する。
【００４２】
【表１】
2009124336.tif 000003
【００４３】
この場合の歪率ＴＨＤの測定方法では、作業者がパソコンを操作し、ソフトのＴＨＤアナライザーを起動する。前記パソコンは、ソフトのＴＨＤアナライザーによりアウトラインからデジタルのｓｗｅｅｐ信号を出力する。このデジタルのｓｗｅｅｐ信号は、オーディプロセッサによりデジタル／アナログ変換されてステレオアンプに入力して増幅され。ステレオアンプで増幅されたｓｗｅｅｐ信号は、スピーカ装置１００のスピーカ１０２から出力させる。
【００４４】
スピーカ１０２から出力されたｓｗｅｅｐ信号は、オーディプロセッサに接続したマイクで受信される。オーディプロセッサは、マイクで受信したｓｗｅｅｐ信号をアナログ／デジタル変換して前記パソコンに入力する。前記パソコンは、ソフトのＴＨＤアナライザーによりオーディプロセッサからのデジタルのｓｗｅｅｐ信号を解析して歪率ＴＨＤの測定を行っている。
【００４５】
ここで、表１の（Ａ）は、比較用のデータであり、床２００にスピーカ装置１００を直接設置した状態を示している。
【００４６】
インシュレータ１−１、１−２、１−３の音響ボール４の材質の組み合わせとしては、表１の（Ｂ）、（Ｃ）、（Ｄ）、（Ｅ）、（Ｆ）、（Ｇ）、（Ｈ）、（Ｉ）の８通りの組み合わせを用いている。
【００４７】
表１の（Ｂ）は、真鍮を球形に形成したもののみ３個を用いた組み合わせを示している。（Ｃ）は、ステンレス鋼ＳＵＳ３０４を球形に形成したもののみ３個を用いた組み合わせを示している。（Ｄ）は、鉄球にニッケル鍍金を施したもの３個を用いた組み合わせを示している。（Ｅ）は、アクリル樹脂を球形に形成したもののみ３個を用いた組み合わせを示している。（Ｆ）は、ポリカーボネートを球形に形成したもののみ３個を用いた組み合わせを示している。（Ｇ）は、アクリル樹脂を球形に形成したもの、ポリカーボネートを球形に形成したもの、鉄球にニッケル鍍金を施したもの各１個を用いた組み合わせを示している。（Ｈ）は、アクリル樹脂を球形に形成したもの、鉄球にニッケル鍍金を施したもの、真鍮を球形に形成したものの各１個を用いた組み合わせを示している。（Ｉ）は、アクリル樹脂を球形に形成したもの、アクリル樹脂を球形に形成したもの、ステンレス鋼ＳＵＳ３０４を球形に形成したものの各１個を用いた組み合わせを示している。
【００４８】
表１に示すように、これらの組み合わせ及び比較例を歪率ＴＨＤが低い順に並べると、（Ｅ）、（Ｇ）、（Ｆ）、（Ｄ）、（Ｃ）、（Ｈ）、（Ｂ）、（Ｉ）、（Ａ）の順になり、（Ｅ）のアクリル樹脂を球形に形成したもののみ３個が最も歪率ＴＨＤが少ない状態になる。即ち、音響ボール４の材質を変更することで歪率ＴＨＤを細かく調整することができる。
【００４９】
以上に説明した構成及び作用により、インシュレータ１は、音響機器と設置面の間に介挿され、当該音響機器を支持する。この場合の音響機器は、例えば図６に示したスピーカ装置１００ことであり、設置面は、例えば図７に示した床２００の表面ことである。
【００５０】
アクリルアッパ２は、下面２１に凹部２２が形成され、上面２５が前記音響機器の支持対象面に接して支持する対象面支持体になっている。この場合の支持対象面は例えば図６に示したスピーカ装置１００の下側の板状部材１１６の底面ことである。
【００５１】
上部プレート３は、金属を素材として板状に形成され、前記アクリルアッパ２の前記凹部２２の奥面に取り付けられる
【００５２】
アクリルベース５は、合成樹脂を素材とし、上面３１に凹部６０を形成し、下面５０が設置面に接した状態で置かれる脚体になっている。
【００５３】
下部プレート６は、金属を素材として板状に形成され、前記アクリルベース５の前記凹部６０の奥面に取り付けられる。
【００５４】
音響ボール４は、球形に形成され、下側の少なくとも一部が前記アクリルベース５の前記凹部６０に挿入されて前記下部プレート６の上面と点接触し、上側の少なくとも一部が前記アクリルアッパ２の前記凹部２２に挿入され前記上部プレート３の上面と点接触する。
【００５５】
前記下部プレート３と前記アクリルベース５の間には、板状に形成され振動抑制する制振プレート７が介挿される。
【００５６】
インシュレータ１の使用方法においては、前記音響ボール４として互いに材質の異なるものを複数用意し、前記インシュレータ１の音響ボールを材質の異なるものに交換することで前記音響機器から出力される出力音の音色を調整している。
【００５７】
かかる構成の図１乃至図７に示したインシュレータ１によれば、アクリルアッパ２の上面２５に音響機器の支持対象面を載置して当該インシュレータ１が音響機器を支持することで、音響機器からの振動がアクリルアッパ２及び上部プレート３を介して当該上部プレート３と点接触した音響ボール４に伝達し、音響ボール４に伝達した振動が、音響ボール４の材質に応じて吸収されたり、音響ボール４を介して当該音響ボール４と点接触した下部プレート６から反射され上部プレート３及びアクリルアッパ２を介して音響機器に伝達し共鳴や唸りを発生したり、音響ボール４に振動が伝達したことで音響ボール４が固有振動数で振動し、この固有振動数の振動が上部プレート３及びアクリルアッパ２を介して音響機器に伝達し音響機器の音声出力に付加したりするので、音響ボール４を材質の異なるものに適宜交換することで、載置した音響機器から出力される出力音の出力音の音質を向上し、必要に応じて音色を調整することができる。また、音響ボール４は、上部プレート３及び下部プレート６に点で接触しているため、上部プレート３及び下部プレート６に対して振動が伝達や反射する際に音声歪やノイズが発生しにくくなっている。
【００５８】
また、図１乃至図７に示したインシュレータによれば、制振プレート７によって前記下部プレート６から前記アクリルベース５に伝わる振動を抑制できるので、不要な振動が設置面に伝わるのを防止できる。
【図面の簡単な説明】
【００５９】
【図１】図１は、本発明の一実施形態によるインシュレータの斜め上側から見た分解斜視図である。
【図２】図２は、本発明の一実施形態によるインシュレータの斜め下側から見た分解斜視図である。
【図３】図３は、本発明の一実施形態によるインシュレータの斜め上側から見た斜視図である。
【図４】図４は、本発明の一実施形態によるインシュレータの平面図である。
【図５】図５は、本発明の一実施形態による図４のＡ−Ａ線断面図である。
【図６】図６は、本発明の一実施形態による３個のインシュレータにスピーカ装置を載置した状態を示す斜視図である。
【図７】図７は、本発明の一実施形態による３個のインシュレータにスピーカ装置を載置した状態を示す底面図である。
【符号の説明】
【００６０】
１、１−１、１−２、１−３…インシュレータ、
２…アクリルアッパ、３…上部プレート、４…音響ボール、
５…アクリルベース、６…下部プレート、７…制振プレート、
１１…上側部、１２…下側部、１３…ネジ、
２１…下面、２２、２３…凹部、２４…貫通孔、２５…上面、
２６…下側部、２７…リブ、３１…上面、３２…下面、
３３…貫通孔、３４…上側部、３５…下側部、３６…段部、
３７…リブ、３８…ネジ孔、４１…大径部、４２…傾斜面、
４３…上面、４４…凹部、４５…凹部、４６…ネジ挿通孔、
４７…窪み、５０…下面、６１…隙間、１００…スピーカ装置、
１０１…エンクロージャー、１０２…スピーカ、
１１１、１１２、１１３、１１４、１１５、１１６…板状部材、
２００…床
【図１】
2009124336.tif 000004
【図２】
2009124336.tif 000005
【図３】
2009124336.tif 000006
【図４】
2009124336.tif 000007
【図５】
2009124336.tif 000008
【図６】
2009124336.tif 000009
【図７】
2009124336.tif 000010